(57)【要約】【課題】地震が発生した際に、地震を確実に感知することができる防災函を提供する。【解決手段】取っ手を有すると共に時計を装着したケース本体５に、機械的に作動する地震感知手段Ａを内蔵する。地震感知手段Ａにて電気回路のスイッチ７がＯＮとなって作動するラジオ２及び照明具を、ケース本体５に装着する。【選択図】図３
2009117190.tif 000002
【特許請求の範囲】
【請求項１】
取っ手（４）を有すると共に時計（１）を装着したケース本体（５）に、機械的に作動する地震感知手段（Ａ）を内蔵し、かつ、該地震感知手段（Ａ）にて電気回路（６）のスイッチ（７）がＯＮとなって作動するラジオ（２）及び照明具（３）を、上記ケース本体（５）に装着したことを特徴とする防災函。
【請求項２】
地震感知手段（Ａ）は、
下端（11ａ）に永久磁石（８）と、その上の一部分に非磁性材の保持片（９）とを、有する振り子（10）と、上下動自在として設けられた細杆（11）と、通常は上記保持片（９）に載置状に保持されつつ上記永久磁石（８）の磁力にて下方へ吸引されるように上記細杆（11）の下端（11ａ）に固着された磁性部材（12）と、を備えており、
上記スイッチ（７）が、上記細杆（11）に付設されたスイッチ用接触板（13）と、該接触板（13）に通常は遊離しているスイッチ用受け片（14）と、から成り、かつ、該スイッチ（７）が、上記ラジオ用の第１スイッチ（７ａ）と、上記照明具用の第２スイッチ（７ｂ）と、に分離されて、上記振り子（10）が揺動することにより上記磁性部材（12）が上記永久磁石（８）に吸着するとともに、上記接触板（13）と上記受け片（14）が接触するように構成した請求項１記載の防災函。
【請求項３】
上記地震感知手段（Ａ）が、復帰用レバー（15）を備え、上記永久磁石（８）に磁性部材（12）が吸着された状態を、分離させるように構成した請求項２記載の防災函。
【請求項４】
上記ラジオ（２）の乾電池（19）と交換自在な外形を有する第１通電部材（20）と、上記照明具（３）の乾電池（21）と交換自在な外形を有する第２通電部材（22）と、を備え、
さらに、抜き出した上記乾電池（19）（21）を収納する収納空間（23）を、上記ケース本体（５）内に形成し、かつ、上記電気回路（６）が、上記収納空間（23）内に収納した乾電池（19）（21）を上記スイッチ（７）と接続する配線（24）を有する請求項１，２又は３記載の防災函。
【請求項５】
取っ手（４）を有すると共に時計（１）を装着したケース本体（５）に、機械的に作動する地震感知手段（Ａ）を内蔵し、かつ、ラジオ（２）を収納するラジオ収納部（30）と、照明具（３）を収納する照明具収納部（31）を、備え、上記地震感知手段（Ａ）にて電気回路（６）のスイッチ（７）がＯＮとなって上記ラジオ収納部（30）内に収納したラジオ（２）、及び、上記照明具収納部（31）内に収納した照明具（３）が作動するための配線（32）を有する防災函であって、
上記地震感知手段（Ａ）は、
下端（11ａ）に永久磁石（８）と、その上の一部分に非磁性材の保持片（９）とを、有する振り子（10）と、上下動自在として設けられた細杆（11）と、通常は上記保持片（９）に載置状に保持されつつ上記永久磁石（８）の磁力にて下方へ吸引されるように上記細杆（11）の下端（11ａ）に固着された磁性部材（12）と、を備えており、
上記スイッチ（７）が、上記細杆（11）に付設されたスイッチ用接触板（13）と、該接触板（13）に通常は遊離しているスイッチ用受け片（14）と、から成り、かつ、該スイッチ（７）が、上記ラジオ用の第１スイッチ（７ａ）と、上記照明具用の第２スイッチ（７ｂ）と、に分離されて、上記振り子（10）が揺動することにより上記磁性部材（12）が上記永久磁石（８）に吸着するとともに、上記接触板（13）と上記受け片（14）が接触するように構成したことを特徴とする防災函。
【発明の詳細な説明】
【技術分野】
【０００１】
本発明は、防災函に関する。
【背景技術】
【０００２】
一般に、地震が起こると停電のおそれがあるので、地震の揺れをセンサーにより感知して自動的に点灯する照明器具がある（例えば、特許文献１参照）。
【０００３】
しかし、通常時に電気を得るためにコンセントにコードを差し込む構成のものは、設置場所が限定されるという欠点があった。バッテリーを内蔵した構成のものは、地震感知センサーが電気式であって、地震が発生した際に、肝心のバッテリーが切れていて、地震を感知することができない場合があった。
【特許文献１】特開平８−３０６２０１号公報
【発明の開示】
【発明が解決しようとする課題】
【０００４】
解決しようとする課題は、地震感知センサーがバッテリー切れして、地震を感知できない虞れがある点である。
【課題を解決するための手段】
【０００５】
そこで、本発明に係る防災函は、取っ手を有すると共に時計を装着したケース本体に、機械的に作動する地震感知手段を内蔵し、かつ、該地震感知手段にて電気回路のスイッチがＯＮとなって作動するラジオ及び照明具を、上記ケース本体に装着したものである。
【０００６】
また、地震感知手段は、下端に永久磁石と、その上の一部分に非磁性材の保持片とを、有する振り子と、上下動自在として設けられた細杆と、通常は上記保持片に載置状に保持されつつ上記永久磁石の磁力にて下方へ吸引されるように上記細杆の下端に固着された磁性部材と、を備えており、上記スイッチが、上記細杆に付設されたスイッチ用接触板と、該接触板に通常は遊離しているスイッチ用受け片と、から成り、かつ、該スイッチが、上記ラジオ用の第１スイッチと、上記照明具用の第２スイッチと、に分離されて、上記振り子が揺動することにより上記磁性部材が上記永久磁石に吸着するとともに、上記接触板と上記受け片が接触するように構成したものである。
【０００７】
また、上記地震感知手段が、復帰用レバーを備え、上記永久磁石に磁性部材が吸着された状態を、分離させるように構成したものである。
また、上記ラジオの乾電池と交換自在な外形を有する第１通電部材と、上記照明具の乾電池と交換自在な外形を有する第２通電部材と、を備え、さらに、抜き出した上記乾電池を収納する収納空間を、上記ケース本体内に形成し、かつ、上記電気回路が、上記収納空間内に収納した乾電池を上記スイッチと接続する配線を有するものである。
【０００８】
また、取っ手を有すると共に時計を装着したケース本体に、機械的に作動する地震感知手段を内蔵し、かつ、ラジオを収納するラジオ収納部と、照明具を収納する照明具収納部を、備え、上記地震感知手段にて電気回路のスイッチがＯＮとなって上記ラジオ収納部内に収納したラジオ、及び、上記照明具収納部内に収納した照明具が作動するための配線を有する防災函であって、上記地震感知手段は、下端に永久磁石と、その上の一部分に非磁性材の保持片とを、有する振り子と、上下動自在として設けられた細杆と、通常は上記保持片に載置状に保持されつつ上記永久磁石の磁力にて下方へ吸引されるように上記細杆の下端に固着された磁性部材と、を備えており、上記スイッチが、上記細杆に付設されたスイッチ用接触板と、該接触板に通常は遊離しているスイッチ用受け片と、から成り、かつ、該スイッチが、上記ラジオ用の第１スイッチと、上記照明具用の第２スイッチと、に分離されて、上記振り子が揺動することにより上記磁性部材が上記永久磁石に吸着するとともに、上記接触板と上記受け片が接触するように構成したものである。
【発明の効果】
【０００９】
本発明の防災函によれば、地震が発生した際に、地震感知手段が機械的に作動するので、地震を確実に感知することができる。そして、自動的にラジオ及び照明具を作動させることができる。
【発明を実施するための最良の形態】
【００１０】
図１・図２は、本発明の第１の実施の形態を示す。この防災函は、時計１、ラジオ（例えばトランジスタラジオ）２、照明具（懐中電灯、照明灯等）３を、備えている。具体的には、ラジオ２を収納するラジオ収納部30と、照明具３を収納する照明具収納部31を、備える。そして、ラジオ収納部30にラジオ２が収納され、かつ、照明具収納部31に照明具３が収納されている。通常は、時計１のみが作動しているが、地震の揺れを感知して自動的にラジオ２および照明具３に通電する。
【００１１】
具体的には、取っ手４を有すると共に時計１を装着したケース本体５に、機械的に作動する地震感知手段Ａが内蔵されている。地震感知手段Ａにて電気回路６（図５・図６参照）のスイッチ７（図３〜図６参照）がＯＮとなって作動するラジオ２及び照明具３が、ケース本体５に装着されている。
【００１２】
図２・図３に示すように、地震感知手段Ａは、下端10ａに永久磁石８と、その上の一部分に（永久磁石８の上面８ａの一部分のみに載置状に、すなわち、上面８ａの他部分は露出状に）非磁性材の保持片（遮断片、邪魔板）９とを、有する振り子10を、備えている。保持片９は、プラスチック、アルミニウム、ゴム等の非磁性材から成る。振り子10の上端10ｂが、ケース本体５に揺動可能に取付けられている。
【００１３】
地震感知手段Ａは、上下動自在として設けられた細杆11と、通常は保持片９に載置状に保持されつつ永久磁石８の磁力にて下方へ吸引されるように細杆11の下端11ａに固着された磁性部材12と、を備えている。磁性部材12は、例えば鉄から成る。なお、図２では、細杆11、磁性部材12等を図示省略した。
【００１４】
図 3・図４に示すように、スイッチ７が、細杆11に付設されたスイッチ用接触板13と、接触板13に通常は遊離しているスイッチ用受け片14と、から成る。スイッチ７が、ラジオ用の第１スイッチ７ａと、照明具用の第２スイッチ７ｂと、に分離されている。振り子10が揺動することにより磁性部材12が永久磁石８に吸着するとともに、接触板13と受け片14が接触するように構成されている。
【００１５】
地震感知手段Ａが、復帰用レバー15を備えている。復帰用レバー15により、永久磁石８に磁性部材12が吸着された状態（図９に示す状態）を、分離させるように構成されている。具体的には、復帰用レバー15が長手部材から成る。そして、復帰用レバー15の中間部15ａがケース本体５に枢着されている。細杆11が、復帰用レバー15の先端部15ｂからの押圧力を受ける受圧面16を形成する切欠細径部17を有するとともに、復帰用レバー15の先端部15ｂが、切欠細径部17近傍に配設される。復帰用レバー15の基端部15ｃが、ケース本体５に設けられた縦長状孔部18から突出している。
【００１６】
図５・図６に示すように、ラジオ２の乾電池19と交換自在な外形を有する第１通電部材20と、照明具３の乾電池21と交換自在な外形を有する第２通電部材22と、を備えている。第１通電部材20及び第２通電部材22が、例えば、アルミニウム、銅等の導電性金属から成る。「交換自在な」とは１個又は複数の乾電池と交換自在であることをいう。第１の実施の形態では、第１通電部材20が、１個の乾電池19と交換自在な外形を有する。第２通電部材22が、２個の乾電池21と交換自在な外形を有する。
【００１７】
図７・図８に示すような（図示省略のラジオ２の蓋に替えて用いるための）替蓋28を備える。替蓋28が、ラジオ２の内外を通電可能とする２つの導出用通電部29を有する。通電部29は導電性金属から成る。すなわち、替蓋28によりラジオ２内部の電気回路が切断された状態となるので、ラジオ２のスイッチ（図示省略）をＯＮにしていても、ラジオ２内部で閉回路が形成されることはない。照明具３についても同様の替蓋（図示省略）を用いる。
【００１８】
図２に示すように、抜き出した乾電池19及び乾電池21を収納する収納空間（収納部）23が、ケース本体５内に（一体又は一体状に）形成されている。図５・図６に示すように、電気回路６が、収納空間23内に収納した乾電池19又は乾電池21をスイッチ７と接続する配線24を有する。具体的には、電気回路６が、ラジオ用電気回路６ａと、照明具用電気回路６ｂを有する。そして、ラジオ用電気回路６ａが、ラジオ２の乾電池19を第１スイッチ７ａと接続する第１配線24ａを有する。照明具用電気回路６ｂが、照明具３の乾電池21を第２スイッチ７ｂと接続する第２配線24ｂを有する。なお、図５・図６中の25はラジオ２が内蔵している（図示省略のアンテナ、スピーカー等と接続された配線を有する）電気回路部を示す。26は豆電球、蛍光灯等の照明部を示す。
【００１９】
すなわち、ラジオ用電気回路６ａは、第１スイッチ７ａと、２個の乾電池19と、２個の第１通電部材20と、ラジオ２の電気回路部25が、直列状に接続されて、第１スイッチ７ａを閉じたときに閉回路となるように構成されている。照明具用電気回路６ｂは、４個の乾電池21と、２個の第２通電部材22と、第２スイッチ７ｂが、直列状に接続されて、第２スイッチ７ｂを閉じたときに閉回路となるように構成されている。
【００２０】
別の観点から見ると、電気回路６が、地震感知手段Ａにて電気回路６のスイッチ７がＯＮとなってラジオ収納部30内に収納したラジオ２、及び、照明具収納部31内に収納した照明具３が作動するための配線32を有する。配線32が、ラジオ２と接続されるラジオ用配線32ａと、照明具３と接続される照明具用配線32ｂと、から成る。
【００２１】
次に、第１の実施の形態の防災函の使用方法について説明する。まず、ラジオ２の乾電池19と第１通電部材20を入れ換え、かつ、照明具３の乾電池21と第２通電部材22を入れ換える（各第２通電部材22を２個の乾電池21と交換する）。そして、抜き出したラジオ２の乾電池19、及び、照明具３の乾電池21を、収納空間23に収納する。ラジオ２及び照明具３の電源はＯＮにしておく（ただし、電気回路６がＯＦＦの場合、通電されない）。
【００２２】
次に、地震によって振り子10が揺動した際の動作について説明する。振り子10が揺動すると、図９に示すように、細杆11の下端11ａに固着された磁性部材12が、永久磁石８の磁力にて下方へ吸引されて、保持片９の外縁27から外れて、永久磁石８に吸着する。このとき、細杆11が下方へ移動するので、細杆11に固着された（上下各々の）接触板13が（対応する）受け片14に接触して、電気回路６のスイッチ７がＯＮとなる。すなわち、ラジオ用電気回路６ａの第１スイッチ７ａ、及び、照明具用電気回路６ｂの第２スイッチ７ｂがＯＮとなる。そして、ラジオ２及び照明具３が作動する（ラジオ放送が流れるとともに、照明部26が点灯する）。
【００２３】
スイッチ７をＯＦＦにするには、復帰用レバー15の基端部15ｃを押下げる。復帰用レバー15は中間部15ａがケース本体５に枢支されつつ揺動し、（てこのように）先端部15ｂが上方へ移動する。先端部15ｂが細杆11の受圧面16を押圧して、細杆11を上方へ移動させる。そして、細杆11に固着された接触板13が受け片14から離脱して、電気回路６のスイッチ７がＯＦＦとなる。振り子10を元の状態（図３の状態）に戻し（鉛直状とし）、保持片９に磁性部材12を載置状とすることにより、スイッチ７がＯＦＦの状態を維持することができる。
【００２４】
なお、時計１は図示省略の乾電池を内蔵しており、常時作動するように構成されている。時計用の乾電池が切れると、ラジオ用の乾電池19、及び、照明具用の乾電池21の寿命も短くなっていると考えて、全ての乾電池を交換することが、安全上好ましく、このようにすることで、より確実に地震の際の電池切れを防止することができる。
また、ラジオ２を単独で取り出して用いるための図示省略の蓋、及び、照明具３を単独で取り出して用いるための図示省略の蓋を備える。
【００２５】
図10と図11は、第２の実施の形態のラジオ用電気回路６ａ，照明用電気回路６ｂを示す。つまり、図10に示すように、ラジオ２の乾電池19が、ラジオ２に収納（内蔵）されている。そして、第１通電部材20（図５・図６参照）が省略されている。また、図11に示すように、照明具３用の乾電池21が、照明具３のケースに収納されている。そして、第２通電部材22が省略されている。収納空間23を具備しない。その他の構成（特に地震感知手段Ａの構成）は、第１の実施の形態と同様である。
【００２６】
次に、第３の実施の形態について説明する（図示省略）。防災函が、ラジオ２及び照明具３を具備しない。すなわち、防災函の利用者が、別途、既に所有しているか、あるいは、市販のものを購入したところのラジオ２及び照明具３を装着して、使用する。その他の構成は、第１の実施の形態と同様である。
【００２７】
本発明は、設計変更可能であって、例えば、防災函として、ラジオ２及びそれと関係する回路（例えば電気回路６ａ）を省略しても良い。復帰用レバー15を省略するも良い。この場合、例えば細杆11の上端11ｂ（図３〜図５・図９参照）を手で持ち上げて、図９の状態から図３の状態に復帰させることができる。
また、第１通電部材20及び第２通電部材22が、内側に導電性金属を有するとともに、外側に（導電性金属を被覆状に）非導電性材料を有するも、好ましい。
【００２８】
また、乾電池19をスイッチ７と接続する配線24ａに、第１通電部材20を介在させるも良い。言い換えると、ラジオ用電気回路６ａは、第１スイッチ７ａと、ラジオ用の各乾電池19と、第１通電部材20と、ラジオ２の電気回路部25が、直列状に接続されて、第１スイッチ７ａを閉じたときに閉回路となるように構成されていれば、それらの順序を問わない。例えば、第１スイッチ７ａと直接的に接続されるのが、第１通電部材20のみであっても良い。
【００２９】
また、乾電池21をスイッチ７と接続する配線24ｂに、第２通電部材22を介在させるも良い。言い換えると、照明具用電気回路６ｂは、照明具用の各乾電池21と、第２通電部材22と、第２スイッチ７ｂが、直列状に接続されて、第２スイッチ７ｂを閉じたときに閉回路となるように構成されていれば、それらの順序を問わない。例えば、第２スイッチ７ｂと直接的に接続されるのが、第２通電部材22のみであっても良い。
【００３０】
以上のように、本発明は、取っ手４を有すると共に時計１を装着したケース本体５に、機械的に作動する地震感知手段Ａを内蔵し、かつ、地震感知手段Ａにて電気回路６のスイッチ７がＯＮとなって作動するラジオ２及び照明具３を、ケース本体５に装着したので、地震が発生した際に、（バッテリー式の地震感知センサーによって地震を感知する構成のものではバッテリー切れの虞れがあるところ、）地震感知手段Ａが機械的に作動して、地震を確実に感知することができる。すなわち、通常時（地震が発生していない時）は、ラジオ２及び照明具３が通電されていないので、ラジオ２用の乾電池19、及び、照明具３用の乾電池21の消耗を防止して、緊急時に備えることができる。時計１は日常的に目につく場所に設置するので、防災函全体としてもそのような目につく場所に設置することになり、地震の際、防災函をすぐ見つけることができる。そして、緊急の際に必要なラジオ２及び照明具３を使用することができる。
【００３１】
また、地震感知手段Ａは、下端11ａに永久磁石８と、その上の一部分に非磁性材の保持片９とを、有する振り子10と、上下動自在として設けられた細杆11と、通常は保持片９に載置状に保持されつつ永久磁石８の磁力にて下方へ吸引されるように細杆11の下端11ａに固着された磁性部材12と、を備えており、スイッチ７が、細杆11に付設されたスイッチ用接触板13と、接触板13に通常は遊離しているスイッチ用受け片14と、から成り、かつ、スイッチ７が、ラジオ用の第１スイッチ７ａと、照明具用の第２スイッチ７ｂと、に分離されて、振り子10が揺動することにより磁性部材12が永久磁石８に吸着するとともに、接触板13と受け片14が接触するように構成したので、地震感知手段Ａを簡易な機械的構成にすることができる。
【００３２】
また、地震感知手段Ａが、復帰用レバー15を備え、永久磁石８に磁性部材12が吸着された状態を、分離させるように構成したので、磁性部材12を永久磁石８から容易に分離することができる。
【００３３】
また、ラジオ２の乾電池19と交換自在な外形を有する第１通電部材20と、照明具３の乾電池21と交換自在な外形を有する第２通電部材22と、を備え、さらに、抜き出した乾電池19，21を収納する収納空間23を、ケース本体５内に形成し、かつ、電気回路６が、収納空間23内に収納した乾電池19，21をスイッチ７と接続する配線24を有するので、乾電池19及び乾電池21を一括管理することができて至便である。乾電池19又は乾電池21が液漏れしてラジオ２や照明具３が腐食するのを防止することができる。時計１、ラジオ２、及び、照明具３をすべて乾電池で作動させることができ、電気コードが不要なので、任意の場所（例えば近くにコンセントがない場所）に設置することができる。また、抜き出した乾電池19をラジオ２に戻してラジオ２を防災函から取り出して単独で使用することができる。また、抜き出した乾電池21を照明具３に戻して照明具３を防災函から取り出して単独で使用することができる。
【００３４】
また、取っ手４を有すると共に時計１を装着したケース本体５に、機械的に作動する地震感知手段Ａを内蔵し、かつ、ラジオ２を収納するラジオ収納部30と、照明具３を収納する照明具収納部31を、備え、地震感知手段Ａにて電気回路６のスイッチ７がＯＮとなってラジオ収納部30内に収納したラジオ２、及び、照明具収納部31内に収納した照明具３が作動するための配線32を有する防災函であって、地震感知手段Ａは、下端11ａに永久磁石８と、その上の一部分に非磁性材の保持片９とを、有する振り子10と、上下動自在として設けられた細杆11と、通常は保持片９に載置状に保持されつつ永久磁石８の磁力にて下方へ吸引されるように細杆11の下端11ａに固着された磁性部材12と、を備えており、スイッチ７が、細杆11に付設されたスイッチ用接触板13と、接触板13に通常は遊離しているスイッチ用受け片14と、から成り、かつ、スイッチ７が、ラジオ用の第１スイッチ７ａと、照明具用の第２スイッチ７ｂと、に分離されて、振り子10が揺動することにより磁性部材12が永久磁石８に吸着するとともに、接触板13と受け片14が接触するように構成したので、防災函の利用者が、別途、既に所有しているか、あるいは、市販のものを購入したところのラジオ２及び照明具３を装着して、使用することができる。
【００３５】
そして、地震が発生した際に、地震感知手段Ａが機械的に作動して、地震を確実に感知することができる。すなわち、通常時は、ラジオ２及び照明具３が通電されていないので、ラジオ２用の乾電池19、及び、照明具３用の乾電池21の消耗を防止して、緊急時に備えることができる。時計１は日常的に目につく場所に設置するので、防災函全体としてもそのような目につく場所に設置することになり、地震の際、防災函をすぐ見つけることができる。そして、緊急の際に必要なラジオ２及び照明具３を使用することができる。さらに、地震感知手段Ａを簡易な機械的構成にすることができる。
【図面の簡単な説明】
【００３６】
【図１】本発明の第１の実施の形態を示す斜視図である。
【図２】説明用斜視図である。
【図３】説明用側面図である。
【図４】要部斜視図である。
【図５】電気回路の説明図である。
【図６】電気回路の説明図である。
【図７】替蓋を示す底面図である。
【図８】替蓋を示す平面図である。
【図９】磁性部材が永久磁石に吸着した状態を示す側面図である。
【図１０】第２の実施の形態の一部を示す説明図である。
【図１１】第２の実施の形態の他部を示す説明図である。
【符号の説明】
【００３７】
１  時計
２  ラジオ
３  照明具
４  取っ手
５  ケース本体
６  電気回路
７  スイッチ
７ａ  第１スイッチ
７ｂ  第２スイッチ
８  永久磁石
９  保持片（遮断片、邪魔板）
10  振り子
11  細杆
11ａ  下端
12  磁性部材
13  接触板
14  受け片
15  復帰用レバー
19  乾電池
20  第１通電部材
21  乾電池
22  第２通電部材
23  収納空間（収納部）
24  配線
30  ラジオ収納部
31  照明具収納部
32  配線
Ａ  地震感知手段
【図１】
2009117190.tif 000003
【図２】
2009117190.tif 000004
【図３】
2009117190.tif 000005
【図４】
2009117190.tif 000006
【図５】
2009117190.tif 000007
【図６】
2009117190.tif 000008
【図７】
2009117190.tif 000009
【図８】
2009117190.tif 000010
【図９】
2009117190.tif 000011
【図１０】
2009117190.tif 000012
【図１１】
2009117190.tif 000013